【手続補正書】
【提出日】平成16年5月21日(2004.5.21)
【手続補正１】
【補正対象書類名】明細書
【補正対象項目名】発明の名称
【補正方法】変更
【補正の内容】
【発明の名称】画像送信装置及び制御方法
【手続補正２】
【補正対象書類名】明細書
【補正対象項目名】特許請求の範囲
【補正方法】変更
【補正の内容】
【特許請求の範囲】
【請求項１】
画像信号を送信する画像送信装置であって、
画像信号を第１の画像データと、前記第１の画像データよりも高い周波数成分を有する第２の画像データとに変換する変換手段と、
一つ以上の拡散符号を用いて前記第１の画像データ及び前記第２の画像データを変調する変調手段と、
前記変調手段で変調された前記第１の画像データ及び前記第２の画像データを送信する送信手段とを有し、
前記第２の画像データを前記第１の画像データよりも多くの拡散符号を用いて変調することを特徴とする画像送信装置。
【請求項２】
前記第１の画像データは、前記画像信号のＤＣ成分を含むことを特徴とする請求項１に記載の画像送信装置。
【請求項３】
前記変調手段は、前記第１の画像データ及び前記第２の画像データの付加データを前記第１の画像データと同じ数の拡散符号を用いて変調することを特徴とする請求項１又は２に記載の画像送信装置。
【請求項４】
前記変調手段は、前記第１の画像データ及び前記第２の画像データの付加データを前記第２の画像データよりも少ない拡散符号を用いて変調することを特徴とする請求項１又は２に記載の画像送信装置。
【請求項５】
撮像素子を用いて前記画像信号を生成する画像信号生成手段をさらに有することを特徴とする請求項１から４の何れか１項に記載の画像送信装置。
【請求項６】
画像信号を送信する画像送信装置の制御方法であって、
画像信号を第１の画像データと、前記第１の画像データよりも高い周波数成分を有する第２の画像データとに変換する変換工程と、
一つ以上の拡散符号を用いて前記第１の画像データ及び前記第２の画像データを変調する変調工程と、
前記変調工程で変調された前記第１の画像データ及び前記第２の画像データを送信する送信工程とを有し、
前記第２の画像データを前記第１の画像データよりも多くの拡散符号を用いて変調することを特徴とする制御方法。
【請求項７】
前記第１の画像データは、前記画像信号のＤＣ成分を含むことを特徴とする請求項６に記載の制御方法。
【請求項８】
前記変調工程では、前記第１の画像データ及び前記第２の画像データの付加データを前記第１の画像データと同じ数の拡散符号を用いて変調することを特徴とする請求項６又は７に記載の制御方法。
【請求項９】
前記変調工程では、前記第１の画像データ及び前記第２の画像データの付加データを前記第２の画像データよりも少ない拡散符号を用いて変調することを特徴とする請求項６又は７に記載の制御方法。
【請求項１０】
撮像素子を用いて前記画像信号を生成する画像信号生成工程をさらに有することを特徴とする請求項６から９の何れか１項に記載の制御方法。
【請求項１１】
画像信号を送信する画像送信装置であって、
画像信号を第１の圧縮方法又は第２の圧縮方法で圧縮して第１の画像データ又は第２の画像データを生成する圧縮手段と、
一つ以上の拡散符号を用いて前記第１の画像データ及び前記第２の画像データを変調する変調手段と、
前記変調手段で変調された前記第１の画像データ及び前記第２の画像データを送信する送信手段とを有し、
前記第２の画像データを前記第１の画像データよりも多くの拡散符号を用いて変調することを特徴とする画像送信装置。
【請求項１２】
前記第１の圧縮方法は１フレームの画像信号を用いて圧縮を行う圧縮方法であり、前記第２の圧縮方法は複数のフレームの画像信号を用いて圧縮を行う圧縮方法であることを特徴とする請求項１１に記載の画像送信装置。
【請求項１３】
前記変調手段は、前記第１の画像データ及び前記第２の画像データの付加データを前記第１の画像データの一部と同じ数の拡散符号を用いて変調することを特徴とする請求項１１又は１２に記載の画像送信装置。
【請求項１４】
前記変調手段は、前記第１の画像データ及び前記第２の画像データの付加データを前記第２の画像データよりも少ない拡散符号を用いて変調することを特徴とする請求項１１又は１２に記載の画像送信装置。
【請求項１５】
撮像素子を用いて前記画像信号を生成する画像信号生成手段をさらに有することを特徴とする請求項１１から１４の何れか１項に記載の画像送信装置。
【請求項１６】
画像信号を送信する画像送信装置の制御方法であって、
画像信号を第１の圧縮方法又は第２の圧縮方法で圧縮して第１の画像データ又は第２の画像データを生成する圧縮工程と、
一つ以上の拡散符号を用いて前記第１の画像データ及び前記第２の画像データを変調する変調工程と、
前記変調工程で変調された前記第１の画像データ及び前記第２の画像データを送信する送信工程とを有し、
前記第２の画像データを前記第１の画像データよりも多くの拡散符号を用いて変調することを特徴とする制御方法。
【請求項１７】
前記第１の圧縮方法は１フレームの画像信号を用いて圧縮を行う圧縮方法であり、前記第２の圧縮方法は複数のフレームの画像信号を用いて圧縮を行う圧縮方法であることを特徴とする請求項１６に記載の制御方法。
【請求項１８】
前記変調工程では、前記第１の画像データ及び前記第２の画像データの付加データを前記第１の画像データの一部と同じ数の拡散符号を用いて変調することを特徴とする請求項１６又は１７に記載の制御方法。
【請求項１９】
前記変調工程では、前記第１の画像データ及び前記第２の画像データの付加データを前記第２の画像データよりも少ない拡散符号を用いて変調することを特徴とする請求項１６又は１７に記載の制御方法。
【請求項２０】
撮像素子を用いて前記画像信号を生成する画像信号生成工程をさらに有することを特徴とする請求項１６から１９の何れか１項に記載の制御方法。
【手続補正３】
【補正対象書類名】明細書
【補正対象項目名】０００１
【補正方法】変更
【補正の内容】
【０００１】
【発明の属する技術分野】
本発明は、画像信号を送信する画像送信装置及びその制御方法に関するものである。
【手続補正４】
【補正対象書類名】明細書
【補正対象項目名】０００９
【補正方法】変更
【補正の内容】
【０００９】
そこで、本発明は、画像信号を適切に送信することができる画像送信装置及びその制御方法を提供することを目的とする。
【手続補正５】
【補正対象書類名】明細書
【補正対象項目名】００１０
【補正方法】変更
【補正の内容】
【００１０】
【課題を解決するための手段】
本発明に係る画像送信装置は、画像信号を送信する画像送信装置であって、画像信号を第１の画像データと、前記第１の画像データよりも高い周波数成分を有する第２の画像データとに変換する変換手段と、一つ以上の拡散符号を用いて前記第１の画像データ及び前記第２の画像データを変調する変調手段と、前記変調手段で変調された前記第１の画像データ及び前記第２の画像データを送信する送信手段とを有し、前記第２の画像データを前記第１の画像データよりも多くの拡散符号を用いて変調することを特徴とする。
【手続補正６】
【補正対象書類名】明細書
【補正対象項目名】００１１
【補正方法】変更
【補正の内容】
【００１１】
本発明に係る制御方法は、画像信号を送信する画像送信装置の制御方法であって、画像信号を第１の画像データと、前記第１の画像データよりも高い周波数成分を有する第２の画像データとに変換する変換工程と、一つ以上の拡散符号を用いて前記第１の画像データ及び前記第２の画像データを変調する変調工程と、前記変調工程で変調された前記第１の画像データ及び前記第２の画像データを送信する送信工程とを有し、前記第２の画像データを前記第１の画像データよりも多くの拡散符号を用いて変調することを特徴とする。
【手続補正７】
【補正対象書類名】明細書
【補正対象項目名】００１２
【補正方法】変更
【補正の内容】
【００１２】
本発明に係る画像送信装置は、画像信号を送信する画像送信装置であって、画像信号を第１の圧縮方法又は第２の圧縮方法で圧縮して第１の画像データ又は第２の画像データを生成する圧縮手段と、一つ以上の拡散符号を用いて前記第１の画像データ及び前記第２の画像データを変調する変調手段と、前記変調手段で変調された前記第１の画像データ及び前記第２の画像データを送信する送信手段とを有し、前記第２の画像データを前記第１の画像データよりも多くの拡散符号を用いて変調することを特徴とする。
【手続補正８】
【補正対象書類名】明細書
【補正対象項目名】００１３
【補正方法】変更
【補正の内容】
【００１３】
本発明に係る制御方法は、画像信号を送信する画像送信装置の制御方法であって、画像信号を第１の圧縮方法又は第２の圧縮方法で圧縮して第１の画像データ又は第２の画像データを生成する圧縮工程と、一つ以上の拡散符号を用いて前記第１の画像データ及び前記第２の画像データを変調する変調工程と、前記変調工程で変調された前記第１の画像データ及び前記第２の画像データを送信する送信工程とを有し、前記第２の画像データを前記第１の画像データよりも多くの拡散符号を用いて変調することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
【発明の実施の形態】
以下、本発明に好適な実施例を図面を用いて詳細に説明する。
【手続補正１２】
【補正対象書類名】明細書
【補正対象項目名】００３５
【補正方法】変更
【補正の内容】
【００３５】
以上のように処理することにより、本実施例の無線送信装置は、画像信号の品質を損うことなく、外部の受信機に対して無線伝送することができる。
【手続補正１３】
【補正対象書類名】明細書
【補正対象項目名】００５８
【補正方法】変更
【補正の内容】
【００５８】
【発明の効果】
以上説明したように本発明によれば、画像信号を適切に送信することができる。
【手続補正１４】
【補正対象書類名】明細書
【補正対象項目名】００５９
【補正方法】削除
【補正の内容】